(57)【要約】【課題】  高温流体８の入口側ヘッダープレート１の近傍における冷却水の沸騰を防止し、沸騰に伴う、熱交換器内部の腐蝕や破壊を防止すること。【解決手段】  入口側ヘッダープレート１に隣接したケーシング５の端部に偏平チューブ３の並列方向に冷却水の入口パイプ10を設け、入口パイプ10の外周にスリット状の冷却水流出口６を入口パイプ10の軸線方向に設けかつ、それを偏平チューブ３と入口側ヘッダープレート１との付根部に向けて配置する。【選択図】        図１
2009097840.tif 000002
【特許請求の範囲】
【請求項１】
入口側ヘッダープレート(1)に、複数の偏平チューブ(3)の端部が貫通固定されたコア(4)と、そのコア(4)の外周を被蔽するケーシング(5)と、入口側ヘッダープレート(1) に隣接して、ケーシング(5)の一端部に設けられた冷却水出口(6)および、ケーシング(5)の他端部に設けた冷却水入口(7)とを具備し、その入口側ヘッダープレート(1) から各偏平チューブ(3) 内に高温流体(8) が流入し、ケーシング(5)内に冷却水(9) が流通する熱交換器において、
その入口側ヘッダープレート(1) に隣接したケーシング(5)の端部に、前記偏平チューブ(3) の並列方向に冷却水の入口パイプ(10)が設けられ、その入口パイプ(10)の外周にスリット状の冷却水流出口(6)がその入口パイプ(10)の軸線方向に形成され、
そのスリット状の冷却水流出口(6)は、偏平チューブ(3) と入口側ヘッダープレート(1) との付根部に向けられたことを特徴とする熱交換器。
【請求項２】
請求項１において、
スリット状の前記冷却水流出口(6)が、偏平チューブ(3) の幅方向の縁と、入口ヘッダープレート(1) との付根部に向けられたことを特徴とする熱交換器。  
【発明の詳細な説明】
【技術分野】
【０００１】
本発明は、内燃機関の排気ガスを冷却する熱交換器の如く、高温流体を冷却水によって冷却するものであって、特に高温ガスの流入側ヘッダープレートの近傍での冷却水の沸騰を防止するものに関する。
【背景技術】
【０００２】
一例として排気ガス熱交換器は、図４に示す如く、互いに離間した一対のヘッダプレート１（右側省略）に多数の偏平チューブ３の両端を貫通固定してコアを構成し、そのコアの外周をケーシング５で被蔽し、各ヘッダプレートにヘッダ本体12の開口端を接続すると共に、ケーシング５外周に一対の冷却水出入口６ａを配置したものである。そして一方のヘッダプレート１側から高温の排気ガス８を導き、各チューブ３内に流通させると共に、チューブ３の外面側に冷却水９を流通させる。
このような熱交換器において、入口側ヘッダープレート１のチューブ３の付根部に冷却水の淀み13（淀み）が生じ、そこに冷却水の局部沸騰が生じ、熱交換器の腐蝕や破壊につながることがあった。
下記特許文献１は、偏平チューブの平坦な平面上に生じる沸騰防止方法として、冷却水の入口から僅か下流側で、偏平チューブにリブを設けると共に、冷却水入口に対向したケーシングの側壁内面に外側に広がる膨出部を設けて、そこに衝突した冷却水の流れをリブに沿って流すことにより、冷却水の沸騰を抑制する提案がなされている。
【０００３】
【特許文献１】特開２００３−９０６９３号公報
【発明の開示】
【発明が解決しようとする課題】
【０００４】
本発明者の実験によれば、冷却水の沸騰は偏平チューブの付根における平坦部分のみならず、図４に示す如く、偏平チューブ３の側面と入口側ヘッダープレート１とのコーナー部においても、よどみ部13が形成され、そこで冷却水の沸騰が起こり、その近傍において熱交換器の各部品に腐食が生じ、破壊が起こるおそれがある。
そこで、本発明はかかる問題点を解決することを課題とする。
【課題を解決するための手段】
【０００５】
請求項１に記載の本発明は、入口側ヘッダープレート(1)に、複数の偏平チューブ(3)の端部が貫通固定されたコア(4)と、そのコア(4)の外周を被蔽するケーシング(5)と、入口側ヘッダープレート(1)に隣接して、ケーシング(5)の一端部に設けられた冷却水出口(6)および、ケーシング(5)の他端部に設けた冷却水入口(7)とを具備し、その入口側ヘッダープレート(1) から各偏平チューブ(3) 内に高温流体(8) が流入し、ケーシング(5)内に冷却水(9) が流通する熱交換器において、
その入口側ヘッダープレート(1) に隣接したケーシング(5)の端部に、前記偏平チューブ(3) の並列方向に冷却水の入口パイプ(10)が設けられ、その入口パイプ(10)の外周にスリット状の冷却水流出口(6)がその入口パイプ(10)の軸線方向に形成され、
そのスリット状の冷却水流出口(6)は、偏平チューブ(3) と入口側ヘッダープレート(1) との付根部に向けられたことを特徴とする熱交換器である。
【０００６】
請求項２に記載の本発明は、請求項１において、
スリット状の前記冷却水流出口(6)が、偏平チューブ(3) の幅方向の縁と、入口ヘッダープレート(1) との付根部に向けられたことを特徴とする熱交換器である。
【発明の効果】
【０００７】
本発明の熱交換器は、入口側ヘッダープレート１に隣接したケーシング５の端部に、偏平チューブ３の並列方向に冷却水の入口パイプ10が設けられ、その入口パイプ10の外周にスリット状の冷却水流出口６が入口パイプ10の軸線方向に形成され且つ、その冷却水流出口６が偏平チューブ３と入口側ヘッダープレート１の付根に向けられているから、冷却水流出口６から流出した冷却水９は、入口側ヘッダープレート１と偏平チューブ３との付根に沿って流通し、その付根部に冷却水の淀み部が生じることを防止できる。それにより、入口側ヘッダープレート１近傍での冷却水の沸騰を防止し、熱交換器の腐食や破壊を防止して、信頼性の高い熱交換器を提供できる。
【０００８】
上記構成において、スリット状の冷却水流出口６を偏平チューブ３の幅方向の縁と入口側ヘッダープレート１との付根部に向けた場合には、その偏平チューブ３の幅方向の縁部と入口側ヘッダープレート１との付根部に生じがちな冷却水のよどみ部をより確実に防止し、さらに信頼性の高い熱交換器を提供できる。
【発明を実施するための最良の形態】
【０００９】
次に、図面に基づいて本発明の実施の形態につき説明する。図１は本発明の熱交換器の縦断平面図であり、図２は図１のII‐II矢視断面図および、それに用いられる入口パイプ10の斜視図である。なお、従来技術と同一の構造部分は同一の符号を付してある。
この熱交換器は、図１および図２（Ａ）に示すごとく、互いに離間した一対の入口側ヘッダープレート１および出口側ヘッダープレート２に複数の偏平チューブ３の両端部が貫通固定されてコア４を構成する。そして、コア４の外周をケーシング５によって被蔽し、入口側ヘッダープレート１および出口側ヘッダープレート２に夫々ヘッダ12の開口端が接続されている。そして、入口側ヘッダープレート１のヘッダ12側から高温流体８が各偏平チューブ３に流入し、ケーシング５内に冷却水９が流通する。入口側ヘッダープレート１に隣接したケーシング５の端部には、偏平チューブ３の並列方向に溝状部11が外面側に突設され、その内部に入口パイプ10が挿通され、その入口パイプ10の端部がケーシング５を図２（Ａ）のごとく貫通する。
【００１０】
入口パイプ10には、図２（Ｂ）のごとく、ケーシング５内部の高さに略等しいスリット状の冷却水流出口６が形成され、それが図１のごとく偏平チューブ３と入口側ヘッダープレート１との付根に向けられている。特に、この例では偏平チューブ３の幅方向縁部と入口側ヘッダープレート１との付根部に冷却水流出口６が向けられている。また、出口側ヘッダープレート２に隣接し、ケーシング５には冷却水流入口７が開口し、その開口縁に出口パイプ15が接合されている。そして、入口パイプ10の図２において上端から冷却水９が流入し、それが冷却水流出口６から入口側ヘッダープレート１と偏平チューブ３との付根部に向けて流出する。それによって、特に偏平チューブ３の幅方向縁部と冷却水流出口６との付根部に生じがちな冷却水のよどみを解消し、そのよどみに基づいて生じる冷却水の沸騰を防止し、沸騰に基づく熱交換器の腐食や破壊を防止する。
入口パイプ10から流出した冷却水９は偏平チューブ３外周を流通し、偏平チューブ３内部の高温流体８との間に熱交換を行い、冷却水流入口７、出口パイプ15を介して外部に流出される。また高温流体８は冷却水９によって冷却され、出口側ヘッダープレート２側のヘッダ12に導かれる。
【００１１】
次に、図３は本発明の熱交換器の他の実施の形態を示し、この例が図１のそれと異なる点は、ケーシング５の一部を入口パイプ10として利用したものである。すなわち、この例ではケーシング５の縁部に溝状部11を設け、それに対向させて半筒体14を配置する。また、溝状部11にはパイプ15を連通し、半筒体14にスリット状の冷却水流出口６を設けたものである。そして、その作用および効果は図１のそれとほぼ同一である。
【図面の簡単な説明】
【００１２】
【図１】本発明の熱交換器の縦断平面図。
【図２】図１のII‐II矢視断面図およびそれに用いられる入口パイプ10の斜視図。
【図３】本発明の他の実施例を示す要部縦断平面図。
【図４】従来型熱交換器の要部縦断平面図。
【符号の説明】
【００１３】
１  入口側ヘッダープレート
２  出口側ヘッダープレート
３  偏平チューブ
４  コア
５  ケーシング
６  冷却水流出口
6a  冷却水出入口
【００１４】
７  冷却水流入口
８  高温流体
９  冷却水
10  入口パイプ
11  溝状部
12  ヘッダ
13  よどみ部
14  半筒体
15  出口パイプ
【図１】
2009097840.tif 000003
【図２】
2009097840.tif 000004
【図３】
2009097840.tif 000005
【図４】
2009097840.tif 000006